(57)【特許請求の範囲】
【請求項１】
少なくとも電磁式給水弁Ａと電磁式給水弁Ｂとを有する二連又は三連式の電磁式給水弁ユニットを設け、原水を開閉する電磁式給水弁Ａの流出側に原水の水勢調節と定流量吐水とを可能にする減圧弁を直結して設け、該減圧弁の流出側に配管部材を設けて上部側に再生材と下部側にイオン交換樹脂とを有するイオン交換樹脂槽の再生材側に配管し、原水を開閉する電磁式給水弁Ｂの流出側に配管部材を設けてイオン交換樹脂槽の該イオン交換樹脂部材側に配管し、該電磁式給水弁Ａの開弁により該イオン交換樹脂槽の再生材を通過してきた原水は排水し、該電磁式給水弁Ｂの開弁により該イオン交換樹脂槽のイオン交換樹脂を通過してきた軟水を電気機器に供給する軟水給水装置において、
該電磁式給水弁Ａの流出口側には、電磁式給水弁掛止凸部、電磁式給水弁掛止凹部を設け、該減圧弁の流入口側には、減圧弁掛止凸部、減圧弁掛止凹部を設け、該電磁式給水弁と該減圧弁とを捻って掛止する時には、該電磁式給水弁掛止凸部には該減圧弁掛止凹部が掛止し、該減圧弁掛止凸部には電磁式給水弁掛止凹部が掛止し、該減圧弁のダイヤフラム押さえに設けられた固定部材ガイドに誘導されて、固定部材が差し込まれて、該電磁式給水弁Ａと該減圧弁とが回動不可能に固定されることを特徴とする軟水給水装置。
【発明の詳細な説明】
【０００１】
【発明の属する技術分野】
本発明は、電気機器（例えば、全自動洗濯機、食器洗い乾燥機）等に搭載される軟水給水装置に係るものであり、詳しくは原水（水道水、井戸水等）を開閉する電磁式給水弁と、原水の水勢調節と定流量吐水とを可能にする減圧弁と、再生材とイオン交換樹脂とを有するイオン交換樹脂槽と、配管部材と、からなる軟水給水装置に関する。
【０００２】
【従来の技術】
従来、例えば、特開平１１−３１９３８２号公報、特開平１１−３４２２９３号公報等で開示されているように、電磁式給水弁を有する電気機器に軟水給水装置（イオン交換樹脂処理型）を搭載したものがある。
【０００３】
【発明が解決しようとする課題】
しかしながら、再生材（例えば、食塩）に原水を注水して再生水を作り、該再生水をイオン交換樹脂に注水する時、原水に溶けない再生材がそのまま排水される場合があり、必要以上に再生材が消費されるという問題があった。
【０００４】
本発明は、従来の技術の有するこのような問題点を鑑みてなされたものであり、その目的とするところは、再生材に定流量の原水を注水することにより、原水に溶けない再生材がそのまま排水される障害を減少させ、再生材の消費を適正量に改善できる軟水給水装置を提供しようとするものである。
【０００５】
【課題を解決するための手段】
上記目的を達成するために、本発明の軟水給水装置は、少なくとも電磁式給水弁Ａと電磁式給水弁Ｂとを有する二連又は三連式の電磁式給水弁ユニットを設け、原水を開閉する電磁式給水弁Ａの流出側に原水の水勢調節と定流量吐水とを可能にする減圧弁を直結して設け、該減圧弁の流出側に配管部材を設けて上部側に再生材と下部側にイオン交換樹脂とを有するイオン交換樹脂槽の再生材側に配管し、原水を開閉する電磁式給水弁Ｂの流出側に配管部材を設けてイオン交換樹脂槽の該イオン交換樹脂部材側に配管し、該電磁式給水弁Ａの開弁により該イオン交換樹脂槽の再生材を通過してきた原水は排水し、該電磁式給水弁Ｂの開弁により該イオン交換樹脂槽のイオン交換樹脂を通過してきた軟水を電気機器に供給する軟水給水装置であって、
該電磁式給水弁Ａの流出口側には、電磁式給水弁掛止凸部、電磁式給水弁掛止凹部を設け、該減圧弁の流入口側には、減圧弁掛止凸部、減圧弁掛止凹部を設け、該電磁式給水弁と該減圧弁とを捻って掛止する時には、該電磁式給水弁掛止凸部には該減圧弁掛止凹部が掛止し、該減圧弁掛止凸部には電磁式給水弁掛止凹部が掛止し、該減圧弁のダイヤフラム押さえに設けられた固定部材ガイドに誘導されて、固定部材が差し込まれて、該電磁式給水弁Ａと該減圧弁とが回動不可能に固定されることを特徴とする。
【０００７】
細部においては、電磁式給水弁Ａと減圧弁とを捻って掛止（管口同士の止金具〔例えば、商品名：クイック・ファスナ等〕で係止させても良い。）し、該電磁式給水弁Ａと該減圧弁との間に固定部材（ガイド溝付き楔棒）を挿入して回動不可能に固定することを特徴とする。
【０００８】
例えば、水道管本管等に設けられた逆止弁、給水栓等の水撃作用等による異常高水圧発生（もらい圧）に耐え、水漏れ、変形、破損が防止できるように、本発明の軟水給水装置に使用する減圧弁においては、アジャストネジを有するダイヤフラム押さえと、流入口と流出口とを有する弁本体と、減圧スプリングと、袋ナットを有するスプリング受けと、ダイヤフラムと、ダイヤフラムワッシャと、ダイヤフラム軸と、ダイヤフラム軸受けと、からなることを特徴とする。
【０００９】
【発明の実施の形態】
発明の実施の形態について図面を参照して説明する。
本発明の軟水給水装置は、電磁式給水弁Ａの流出側に減圧弁を設けて、再生材（イオン交換樹脂槽）に定流量の原水を送水できるように構成されたものであるが、先ず、電磁式給水弁Ａの流出側に減圧弁を設けた実施例について説明する。
図１は単連式の電磁式給水弁Ａ１０の流出側に減圧弁４０を掛止した時の平面図であり、図２は図１の右側面断面図である。
図３は二連式の電磁式給水弁ユニット（Ａ及びＢ）２０の電磁式給水弁Ａの流出側に減圧弁４０を掛止した時の平面図であり、図４は三連式の電磁式給水弁ユニット（Ａ、Ｂ及びＣ）３０の電磁式給水弁Ａの流出側に減圧弁４０を掛止した時の平面図である。
【００１０】
本発明の軟水給水装置は、プランジャ１１でダイヤフラム弁１２のパイロット・オリフィス１３を開閉することにより、ダイヤフラム弁１１を連動させて流出口１６に通ずる弁座の開閉を行うパイロット弁方式の電磁式給水弁ユニット（単連式１０、二連式２０、三連式３０）の電磁式給水弁Ａの流出側（流出口１６）に、原水の水勢調節と定流量吐水（例えば、毎分１００ｍＬ）とを可能にする減圧弁４０を掛止して固定部材１９（ガイド溝付き楔棒）で固定し、再生材５１（例えば、食塩）とイオン交換樹脂５２（原水に含有されるカルシウム類を除去する素材等）とを有するイオン交換樹脂槽５０（例えば、ＰＰ樹脂）に、配管部材６０（例えば、ＰＰ樹脂）を使用して組立てた装置である。
【００１１】
例えば、水道管本管等に設けられた逆止弁、給水栓等の水撃作用等による異常高水圧発生（もらい圧）に耐え、水漏れ、変形、破損が防止できるように、本発明の軟水給水装置に使用する減圧弁４０においては、アジャストネジ４５（例えば、ＰＰ樹脂）を有するダイヤフラム押さえ４４（例えば、ＰＰ樹脂）と、流入口４１と流出口４３とを有する弁本体４２（例えば、ＰＰ樹脂）と、減圧スプリング４６（例えば、ステンレス鋼線）と、袋ナット３７（例えば、真鍮）を有するスプリング受け３８（例えば、ＰＯＭ樹脂）と、ダイヤフラム４７（例えば、ゴム）と、ダイヤフラムワッシャ４８（例えば、ステンレス鋼板）と、ダイヤフラム軸４９（例えば、ＰＰ樹脂）と、ダイヤフラム軸受け３９（例えば、ＰＰ樹脂）と、からなる。
ダイヤフラム４７については、一般に使用されている布入り（ラミネート）ゴムを使用していないので、低水圧から定流量にすることが可能になっている。
又、ダイヤフラム軸４９にダイヤフラムワッシャ４８とダイヤフラム４７とを環装し、スプリング受け３８の袋ナット３７で螺着したので、従来の減圧弁にありがちなダイヤフラム軸４９からの水漏れが皆無になっている。
さらに、安全を考慮する場合は、弁本体４２に安全弁等（不図示）を設けると良い。
【００１２】
図７は図１の斜視図であり、図８は図７から固定部材１９を引き抜いた時の斜視図であり、図９は図８において単連式の電磁式給水弁Ａ１０から減圧弁４０を捻って掛止を外したときの斜視図であり、図１０は単連式の電磁式給水弁Ａ１０と減圧弁４０とに分離した時の斜視図である。
細部においては、パイロット弁方式の電磁式給水弁ユニット（単連式１０、二連式２０、三連式３０）の電磁式給水弁Ａと減圧弁４０とを捻って掛止し、該電磁式給水弁Ａと該減圧弁４０との間に固定部材１９（ガイド溝付き楔棒）を挿入して回動不可能に固定したものである。
詳しくは、電磁式給水弁Ａの流出口１６側には、電磁式給水弁掛止凸部２６、電磁式給水弁掛止凹部２７を設け、減圧弁４０の流入口４１側には、減圧弁掛止凸部２８、減圧弁掛止凹部２９を設け、該電磁式給水弁掛止凸部２６には該減圧弁掛止凹部２９が掛止し、該減圧弁掛止凸部２８には電磁式給水弁掛止凹部２７が掛止し、減圧弁４０のダイヤフラム押さえ４４に設けられた固定部材ガイド３２に誘導されて、固定部材１９が差し込まれる。
該電磁式給水弁Ａの流出側と該減圧弁４０とは、Ｏリング３１等の圧縮型環状封密弾性体等で水密性を確保すると良い。又生産性及び耐久性向上のために、圧縮型環状封密弾性体等にはグリス（例えば、ワセリン）等を塗布しておくと良い。
【００１３】
本発明の軟水給水装置を使用する場合の実施例について説明する。
図５はイオン交換樹脂槽５０の右側面断面図であり、図６は本発明の一実施例の軟水給水装置７０（二連式の電磁式給水弁ユニット２０の電磁式給水弁Ａに減圧弁４０を掛止したものをイオン交換樹脂槽５０に取付けた時）の平面図（但し、二連式の電磁式給水弁ユニット２０においては正面図）である。
本発明の一実施例の軟水給水装置７０は、電磁式給水弁Ａと電磁式給水弁Ｂとを有する二連式の電磁式給水弁ユニット２０の電磁式給水弁Ｂの開閉によりイオン交換樹脂槽５０下部の流入口５７から原水給水を行う（排水口５８より若干の排水がある。これは、排水ホース等に付着している塩化カルシウム水等を排出させるためである。）と、原水はイオン交換樹脂５２により軟水に改水されて、イオン交換樹脂槽５０の中間にある流出口５６（逆止ボール５５により再生材入れ５３には改水がいかない。）から、例えば、洗濯槽、洗浄槽等に吐水される。
【００１４】
又、電磁式給水弁Ａと電磁式給水弁Ｂとを有する二連式の電磁式給水弁ユニット２０の電磁式給水弁Ａの開閉によりイオン交換樹脂槽５０上部の注水口５９から原水給水を行うと、再生材５１に定流量（なるべく一定の低速〔例えば、毎分１００ｍＬ〕が良い。）の原水が送水されて再生水（余分に原水が送水された場合は溢水路５４より流れ出て排水口５８等より排水される。）になり、該再生水がイオン交換樹脂５２に注水されて再生が行われる。再生水はイオン交換樹脂５２との反応で塩化カルシウム水として排水口５８より排水される。
【００１５】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
【００１６】
例えば、排水している塩化カルシウム水の一部を利用して電気分解し、次亜塩素酸含有水（弱酸性電解水）を生成して、原液又は希釈して仕上水（殺菌・消毒目的）として活用しても良い。
【００１７】
減圧弁から定流量で吐水される原水の流量等を検出したい場合は、流量センサや流量スイッチ（フロースイッチ）等を減圧弁の流出口側等に設けても良い。
【００１８】
軟水の吐水流量を調節したい場合は、電磁式給水弁（二連式、三連式）の流出側に流量調節装置を設けても良い。
【００１９】
本発明の軟水給水装置は、常閉形電磁式給水弁を使用しているが、常開形電磁式給水弁と常閉形電磁式給水弁（単連式、二連式、三連式）とを結合した複合電磁式給水弁としても良い。
【００２０】
又、漏水を検出したい場合は、常開形電磁式給水弁及び／又は常閉形電磁式給水弁に流量センサや流量スイッチ（フロースイッチ）等を設け、電気機器（例えば、全自動洗濯機、食器洗い乾燥機）等に搭載される印刷配線基板（電気回路）に常時検出信号等を送信（マイコンの暴走検出のために、マイコンが定期的にある信号を送信してウォッチ・ドック・タイマを駆動させているのと同じ原理。）して、漏水時にはその検出信号等により、常開形電磁式給水弁を閉塞させるようにすると良い。
【００２１】
【発明の効果】
本発明の軟水給水装置は、電磁式給水弁の流出側に減圧弁を設けて、再生材（イオン交換樹脂槽）に定流量の原水を注水することにより、原水に溶けない再生材がそのまま排水される障害を減少させ、再生材の消費を適正量に改善できるという効果を奏する。
【図面の簡単な説明】
【図１】  単連式の電磁式給水弁Ａの流出側に減圧弁を掛止した時の平面図である。
【図２】  単連式の電磁式給水弁Ａの流出側に減圧弁を掛止した時の右側面断面図である。
【図３】  二連式の電磁式給水弁ユニット（Ａ及びＢ）の電磁式給水弁Ａの流出側に減圧弁を掛止した時の平面図である。
【図４】  三連式の電磁式給水弁ユニット（Ａ、Ｂ及びＣ）の電磁式給水弁Ａの流出側に減圧弁を掛止した時の平面図である。
【図５】  イオン交換樹脂槽の右側面断面図である。
【図６】  本発明の一実施例の軟水給水装置の平面図である。
【図７】  単連式の電磁式給水弁Ａに減圧弁を掛止した時の斜視図である。
【図８】  図７から固定部材を引き抜いた時の斜視図である。
【図９】  図８において単連式の電磁式給水弁Ａから減圧弁を捻って掛止を外したときの斜視図で
ある。
【図１０】  単連式の電磁式給水弁Ａと減圧弁とに分離した時の斜視図である。
【符号の説明】
１０…単連式の電磁式給水弁Ａ、１１…プランジャ、１２…ダイヤフラム弁、１３…パイロット・オリフィス、１４…流入口、１５…弁本体、１６…流出口、１７…フィルタ、１８…整流羽根、１９…固定部材、２０…二連式の電磁式給水弁ユニット（Ａ及びＢ）、２１…弁本体、２２…ソレノイド（コイル）、２３…コイルスプリング、２４…ガイド、２５…ガイド押さえ、２６…電磁式給水弁掛止凸部、２７…電磁式給水弁掛止凹部、２８…減圧弁掛止凸部、２９…減圧弁掛止凹部、３０…三連式の電磁式給水弁ユニット（Ａ、Ｂ及びＣ）、３１…Ｏリング、３２…固定部材ガイド、３７…袋ナット、３８…スプリング受け、３９…ダイヤフラム軸受け、４０…減圧弁、４１…流入口、４２…弁本体、４３…流出口、４４…ダイヤフラム押さえ、４５…アジャストネジ、４６…減圧スプリング、４７…ダイヤフラム、４８…ダイヤフラムワッシャ、４９…ダイヤフラム軸、５０…イオン交換樹脂槽、５１…再生材、５２…イオン交換樹脂、５３…再生材入れ、５４…溢水路、５５…逆止ボール、５６…流出口、５７…流入口、５８…排水口、５９…注水口、６０…配管部材、７０…一実施例の軟水給水装置
【図１】
0003651766.tif 000002
【図２】
0003651766.tif 000003
【図３】
0003651766.tif 000004
【図４】
0003651766.tif 000005
【図５】
0003651766.tif 000006
【図６】
0003651766.tif 000007
【図７】
0003651766.tif 000008
【図８】
0003651766.tif 000009
【図９】
0003651766.tif 000010
【図１０】
0003651766.tif 000011